(57)【要約】  本発明は、フィードを処理するためのプレート熱交換器に関する。このプレート熱交換器は、複数の熱交換用プレートを備えるプレートパッケージを含み、プレートパッケージは、加熱用容量部、冷却用容量部、および複数のプロセス容量部を画定する。プロセス容量部のそれぞれは、フィードの一部を蒸発させるための蒸発区域、フィードの蒸発した部分から未蒸発の部分を分離させるための分離区域、およびフィードの蒸発した部分を凝縮させるように構成されている凝縮区域を含む。各熱交換用プレートは、加熱用容量部と第１のプロセス容量部の蒸発区域との間の第１の熱的界面、冷却用容量部と第２のプロセス容量部の凝縮区域との間の第２の熱的界面、および２つの隣接するプロセス容量部の蒸発区域と凝縮区域との間の少なくとも１つのさらなる熱的界面を画定する。
2021525857.tif 000002
【特許請求の範囲】
【請求項１】
海水などのフィードを処理するためのプレート熱交換器であって、連続した順序で配置された複数の熱交換用プレートを備えるプレートパッケージを含み、
前記プレートパッケージが、加熱用媒体を受け入れるための加熱用容量部、冷却用媒体を受け入れるための冷却用容量部、および複数のプロセス容量部を画定し、前記容量部のそれぞれが、前記プレートパッケージにおいて互いと流体的に分離され、
前記プロセス容量部のそれぞれが、
前記フィードの少なくとも一部の蒸発を可能にするように構成されている蒸発区域、
前記フィードの蒸発した部分から前記フィードの未蒸発の部分を分離させるように構成されている分離区域、および
前記フィードの前記蒸発した部分を凝縮させるように構成されている凝縮区域
を含み、
各熱交換用プレートが、前記加熱用容量部と前記複数のプロセス容量部のうちの第１のプロセス容量部の前記蒸発区域との間の第１の熱的界面、前記冷却用容量部と前記複数のプロセス容量部のうちの第２のプロセス容量部の前記凝縮区域との間の第２の熱的界面、および２つの隣接したプロセス容量部の蒸発区域と凝縮区域との間の少なくとも１つのさらなる熱的界面を画定する、
プレート熱交換器。
【請求項２】
前記プレートパッケージは、２つの隣接したプロセス容量部が、それぞれの隣接した凝縮区域と蒸発区域との間の熱的界面を画定するように配置されている少なくとも２つのプロセス容量部、好ましくは、３、４、５、６、７、８、９、または１０個のプロセス容量部を画定する、請求項１に記載のプレート熱交換器。
【請求項３】
前記第２のプロセス容量部内の圧力と温度が、前記第１のプロセス容量部よりも低い、請求項１または２に記載のプレート熱交換器。
【請求項４】
前記容量部が、ガスケットを介して互いと流体的に分離されている、請求項１から３のいずれか一項に記載のプレート熱交換器。
【請求項５】
前記プロセス容量部のそれぞれは、前記プレートパッケージが通常の使用位置に配設されている場合に、前記蒸発区域の底部に位置するフィード入口、および前記分離区域の下方に位置する未蒸発のフィード出口を備える、請求項１から４のいずれか一項に記載のプレート熱交換器。
【請求項６】
前記フィード入口が、前記第１のプロセス容量部以外の前記複数のプロセス容量部のうちの少なくとも１つのプロセス容量部のための各熱交換用プレートの中心軸に隣接して位置している、請求項５に記載のプレート熱交換器。
【請求項７】
前記未蒸発のフィード出口が、前記第１のプロセス容量部以外の前記複数のプロセス容量部のうちの少なくとも１つのプロセス容量部のための各熱交換用プレートの中心軸に隣接して位置している、請求項５に記載のプレート熱交換器。
【請求項８】
前記蒸発区域が、前記蒸発区域の上部に位置するフィード入口を備える、請求項１から７のいずれか一項に記載のプレート熱交換器。
【請求項９】
少なくとも１つの熱交換用プレートが、少なくとも１つのプロセス容量部の前記分離区域において１つまたは複数の開口を画定する、請求項１から８のいずれか一項に記載のプレート熱交換器。
【請求項１０】
前記蒸発区域および前記凝縮区域が、少なくとも１つのプロセス容量部のための同じプレート間空隙内に配置され、および／または、前記蒸発区域および前記凝縮区域が、少なくとも１つのプロセス容量部のための対向プレート間空隙内に配置されている、請求項１から９のいずれか一項に記載のプレート熱交換器。
【請求項１１】
使用中、前記第２のプロセス容量部の前記凝縮区域が、前記第１のプロセス容量部の前記蒸発区域の上方に配設され、各プロセス容量部内で前記蒸発区域が、前記分離区域の下方に配設され、前記分離区域が、前記凝縮区域の下方に配設されている、請求項１から１０のいずれか一項に記載のプレート熱交換器。
【請求項１２】
熱交換用プレートの数が、４〜１０００の範囲の、たとえば１０〜１００の範囲の熱交換器プレートである、請求項１から１１のいずれか一項に記載のプレート熱交換器。
【請求項１３】
前記プレートパッケージの２つの対向する側をカバーする１対の端部プレートをさらに備える、請求項１から１２のいずれか一項に記載のプレート熱交換器。
【請求項１４】
海水などのフィードを処理するための熱交換器を製造する方法であって、
複数の熱交換用プレートを用意するステップであって、各熱交換用プレートが、第１の熱的界面、第２の熱的界面、および少なくとも１つのさらなる熱的界面を画定する、ステップと、
連続した順序で前記複数の熱交換用プレートを配置することによってプレートパッケージを形成するステップと、
を含み、
前記プレートパッケージが、加熱用媒体を受け入れるための加熱用容量部、冷却用媒体を受け入れるための冷却用容量部、および複数のプロセス容量部を画定し、前記容量部のそれぞれが、前記プレートパッケージにおいて互いと流体的に分離され、
前記プロセス容量部のそれぞれが、
前記フィードの少なくとも一部の蒸発を可能にするように構成されている蒸発区域、
前記フィードの蒸発した部分から前記フィードの未蒸発の部分を分離させるように構成されている分離区域、および
前記フィードの前記蒸発した部分を凝縮させるように構成されている凝縮区域
を含み、
前記第１の熱的界面が、前記加熱用容量部と前記複数のプロセス容量部のうちの第１のプロセス容量部の前記蒸発区域との間に画定され、前記第２の熱的界面が、前記冷却用容量部と前記複数のプロセス容量部のうちの第２のプロセス容量部の前記凝縮区域との間に画定され、前記少なくとも１つのさらなる熱的界面が、２つの隣接したプロセス容量部の蒸発区域と凝縮区域との間に画定される、
方法。
【請求項１５】
海水などのフィードを処理するためのプレート熱交換器のためのプレートであって、前記プレート熱交換器が、連続した順序で配置された複数の熱交換用プレートを備えるプレートパッケージを含み、
前記プレートパッケージが、加熱用媒体を受け入れるための加熱用容量部、冷却用媒体を受け入れるための冷却用容量部、および複数のプロセス容量部を画定し、前記容量部のそれぞれが、前記プレートパッケージにおいて互いと流体的に分離され、
前記プロセス容量部のそれぞれが、
前記フィードの少なくとも一部の蒸発を可能にするように構成されている蒸発区域、
前記フィードの蒸発した部分から前記フィードの未蒸発の部分を分離させるように構成されている分離区域、および
前記フィードの前記蒸発した部分を凝縮させるように構成されている凝縮区域
を含み、
各熱交換用プレートが、前記加熱用容量部と前記複数のプロセス容量部のうちの第１のプロセス容量部の前記蒸発区域との間の第１の熱的界面、前記冷却用容量部と前記複数のプロセス容量部のうちの第２のプロセス容量部の前記凝縮区域との間の第２の熱的界面、および２つの隣接したプロセス容量部の蒸発区域と凝縮区域との間の少なくとも１つのさらなる熱的界面を画定する、
プレート。
【発明の詳細な説明】
【技術分野】
【０００１】
本発明は、プレート熱交換器、熱交換用プレート、および海水などのフィードを処理する方法に関する。
【背景技術】
【０００２】
熱交換用プレートの１つまたはいくつかのプレートパッケージがプロセスの主要な構成要素を形成する海水脱塩用装置は、以前から製造されている。ＳＥ−Ｂ−４６４９３８には、シリンダ形のコンテナ内に設けられたプレートパッケージを備えるそのような脱塩プラントが開示されている。それらの熱交換用プレートは、水蒸気のためのポートを有しておらず、代わりに、プロセスの種類に応じて、熱交換用プレートの外側の空間（ｓｐａｃｅ）が水蒸気の流路として使用されている。用いられているプロセスは、いわゆる流下膜技術（ｆａｌｌｉｎｇ  ｆｉｌｍ  ｔｅｃｈｎｏｌｏｇｙ）に基づいており、ここでは、水膜が、プレートの幅にわたって分散され、プレート上を下向きに流れる。流下膜式のプレート蒸発器においては、プレート間空隙（ｉｎｔｅｒｓｐａｃｅ）が１つおきに、蒸発空間を構成し、一方、残りのプレート間空隙は、放熱媒体のための空間を構成している。コンテナは、略シリンダ形の圧力容器である。いくつかのプレートパッケージを含む大型のプラントにおいては、これらのプレートパッケージは、シリンダの長手方向に配置され得る。コンテナをいくつかプラント内に含むことがないとしても、コンテナは、ある程度、プラントの大きさを制限している。
【０００３】
プラントの効率性を改善するために、プラントには多段を設けることができる。多段脱塩プラントの１つの例は、多段フラッシュ蒸発器について開示している米国特許第５１３３８３７号に見出すことができ、ここでは、蒸発すべき海水が、各段容器の底チャンバ内に通され、蒸気は、デミスタおよびチャネルを通って上向きに流れて、ディンプル付きのプレートと接触し、凝縮物は、薄膜としてプレートを流れ落ち、凝縮物トラフに集まる。米国特許第６６３５１５０号には、熱的系列で交互に組み付けられた複数のカスケード状の基本セルで構成されている蒸留プラントが開示されている。
【０００４】
より小型のまたは中型のプラントの場合には少なくとも、コンテナの費用は、プラントの総費用の大部分を占めている。コンテナの製造と取付けはともに、複雑で時間がかかる。加えて、プラントの保守および熱交換用プレートの洗浄は、例としてプレートパッケージおよび熱交換用プレートでは、コンテナを開放した後にしか手が届かないので困難である。
【０００５】
上記の問題に対する解決策については、Ａｌｆａ  Ｌａｖａｌ  Ｃｏｒｐｏｒａｔｅ  ＡＢに譲渡された国際出願ＷＯ２００６／１０４４４３Ａ１に見出すことができる。この国際出願は、脱塩のためのプレート熱交換器について開示している。熱交換器は、蒸発区域、分離区域、および凝縮区域を有する。上述の熱交換器の利点は、海水の処理全体がプレートパッケージにおいて行われるので、この熱交換器には、コンテナがまったく必要でないことである。
【先行技術文献】
【特許文献】
【０００６】
【特許文献１】ＳＥ−Ｂ−４６４９３８
【特許文献２】米国特許第５１３３８３７号
【特許文献３】米国特許第６６３５１５０号
【特許文献４】国際出願ＷＯ２００６／１０４４４３Ａ１
【発明の概要】
【発明が解決しようとする課題】
【０００７】
上述の技術は、単一段のみを使用している。しかしながら、熱交換器の効率性は、多段を使用することによって改善可能になる。したがって、本発明の目的は、コンテナが必要でなく、多段を含んだ、脱塩のためのプレート熱交換器を提供することである。
【課題を解決するための手段】
【０００８】
上記の目的は、第１の態様においては、海水などのフィードを処理するためのプレート熱交換器によって達成され、このプレート熱交換器は、連続した順序で配置された複数の熱交換用プレートを備えるプレートパッケージを含み、プレートパッケージは、加熱用媒体を受け入れるための加熱用容量部、冷却用媒体を受け入れるための冷却用容量部、および複数のプロセス容量部を画定し、容量部のそれぞれが、プレートパッケージにおいて互いと流体的に分離され、プロセス容量部のそれぞれが、
フィードの少なくとも一部の蒸発を可能にするように構成されている蒸発区域、
フィードの蒸発した部分からフィードの未蒸発の部分を分離させるように構成されている分離区域、および
フィードの蒸発した部分を凝縮させるように構成されている凝縮区域
を含み、
各熱交換用プレートは、加熱用容量部と複数のプロセス容量部のうちの第１のプロセス容量部の蒸発区域との間の第１の熱的界面、冷却用容量部と複数のプロセス容量部のうちの第２のプロセス容量部の凝縮区域との間の第２の熱的界面、および２つの隣接したプロセス容量部の蒸発区域と凝縮区域との間の少なくとも１つのさらなる熱的界面を画定する。
【０００９】
本熱交換器は、フィードの処理に使用される。フィードは、典型的には、液体媒体である。フィードは、主には、海水であり、処理は、典型的には、海水を脱塩して、淡水を得るという形態であるが、他の関連する適用例を排除するものではなく、いくつかのそのような関連の適用例については、詳細な説明で論じる。熱交換用プレートパッケージは、典型的には水平方向に沿って、連続的に向かい合わせで配置される実質的に等しい大きさの複数の熱交換用プレートを含む。各熱交換用プレートは、実質的に、熱交換器パッケージの全高および幅を画定し、水平方向は、熱交換器パッケージの奥行きを構成する。熱交換用プレートの縁部は、プレート間の平行なプレート間空隙を確立するように互いに封止される。熱交換用プレートは異なるタイプの表面を画定し、２つの種類のプレート間空隙、すなわち、第１のプレート間空隙および第２のプレート間空隙は、互いに向かい合って組み付けられる場合に、交互の順序で設置され、すなわち、第１のプレート間空隙は、もちろん水平方向に沿って最初と最後のプレート間空隙は除いて、２つの第２のプレート間空隙に隣り合って位置する。
【００１０】
プロセス容量部もまた、互いに対して実質的に封止され、プレート間空隙内に収容される。プロセス容量部は、プレート間空隙内で別個の空間を構成する。すべてのプロセス容量部が、各プレートにおいて形成される。もちろん、プロセス容量部内には、たとえば、フィードを導入して蒸発させるための入口、および淡水およびブラインを除去するための出口がそれぞれ存在する。この場合、ブラインは、海水よりも高い塩分を有する水を意味すると理解される。プレートは、典型的には、プレートを保守に向けて取り外しできるように、プレートパッケージ内に一緒にボルト留めされる。熱交換用プレートは、典型的には、ステンレス鋼、アルミニウム、またはチタンなどの熱伝導耐食性材料で作製されている。
【００１１】
典型的には海水を構成するフィードは、各プロセス容量部の蒸発区域におけるプレートパッケージに導入され、ここで、フィードの少なくとも一部が、熱交換用プレートの対向側の高温流体を使用して蒸発する。分離区域は、蒸発区域に隣接または蒸発区域の上方に位置しており、フィードの蒸発した部分を、未蒸発のフィード、すなわち、ブラインで基本的には構成される残りの一部から分離させる。分離区域は、典型的には、ロッド、バー、または波形部などを含み、これらに接して未蒸発のフィードが捕捉され、分離区域から外に導かれる。凝縮区域は、熱交換用プレートの対向側の冷却物質を使用して、蒸発したフィードを凝縮させることができる。淡水などの凝縮されたフィードは、熱交換器パッケージから外に導かれる。
【００１２】
プレートパッケージ内の各熱交換用プレートは、熱交換用プレートの各側の空間で熱を交換するための熱的界面を画定する。熱的界面により、ステンレス鋼、アルミニウム、またはチタンなどの金属を使用することによってプレートを介した熱的接触が可能になるが、流体混合は防止される。第１のプロセス容量部の蒸発区域は、第１の熱的界面を介して加熱用容量部から加熱を受け取る。加熱用容量部においては、加熱用媒体が循環している。加熱用媒体は、たとえば、舶用機関からのジャケット水、または高温オイルなどの任意の他の熱源からの同様の加熱水などの液体とすることができる。また、加熱用媒体は、水蒸気および蒸気などの気体であってもよい。第２のプロセス容量部の凝縮区域は、熱交換用プレート上の第２の熱的界面を介して冷却用容量部から冷却を受け取る。冷却用容量部においては、冷却用媒体が循環している。冷却用媒体は、典型的には、自然冷水、好ましくは海水などの液体である。あるいは、他の冷却用媒体が使用されてもよい。したがって、各プレートは接触し合い、プレートパッケージのすべての異なる容量部とすべてのプロセス段との間のバリアの形成が同じプレートにおいて行われ得る。これにより、コンパクトな設計が可能になる。
【００１３】
各熱交換用プレートはまた、２つの隣接したプロセス容量部の蒸発区域と凝縮区域との間に少なくとも１つのさらなる熱的界面を画定する。例としては、２つのプロセス容量部の場合においては、第１のプロセス容量部の凝縮区域は、第２のプロセス容量部の蒸発容量部に隣接して、熱的関係で位置している。３つ以上のプロセス容量部の場合においては、凝縮区域は、次のより高いプロセス容量部の蒸発区域に隣接して、熱的関係で位置し、それにより、より低いプロセス容量部の凝縮用エネルギーは、次のより高いプロセス容量部のための蒸発エネルギーとして使用可能になる。このようにして、エネルギーが保存される。各プロセス容量部はプロセス段であると見なすことができる。
【００１４】
プロセス容量部内の圧力は、フィードを蒸発区域において蒸発させ、凝縮区域において適切な温度で凝縮させるのを可能にするように調整され得る。
【００１５】
第１の態様のさらなる実施形態によれば、プレートパッケージは、２つの隣接したプロセス容量部が、それぞれの隣接した凝縮区域と蒸発区域との間の熱的界面を画定するように配置されている少なくとも２つのプロセス容量部、好ましくは、３、４、５、６、７、８、９、または１０個のプロセス容量部を画定する。
【００１６】
したがって、プロセス容量部は、熱的系列で熱的に連結されており、熱的系列とは、凝縮区域が隣りのプロセス容量部の蒸発区域と熱的連結していることを意味する。プロセス容量部の数は、原理上は、無限とすることができるが、実際には、プロセス容量部はすべて、異なる温度および圧力の範囲で動作するので、プロセス容量部の数は限定される。実際には、その数は、上述したものに限定され得る。最初のプロセス容量部を除く各プロセス容量部は、隣接したプロセス容量部からのエネルギーを利用し、したがって、エネルギー節約は、追加の容量部の数だけを向上する。
【００１７】
第１の態様のさらなる実施形態によれば、熱交換用プレートは、圧縮成形されている。
【００１８】
このようにして、プレートの表面構造は、波形にされて、表面積を増大させ、それによって、熱伝達を向上させることができる。
【００１９】
第１の態様のさらなる実施形態によれば、第２のプロセス容量部における圧力と温度は、第１のプロセス容量部よりも低い。
【００２０】
第１の容量部の凝縮区域が、第１の容量部のフィードを凝縮させながら、第２の容量部の蒸発区域を加熱し、第２の容量部内のフィードを蒸発させることをできるようにするには、第１のプロセス容量部内の圧力と温度は、第２のプロセス容量部内の圧力と温度よりも高くすべきである。
【００２１】
３つ以上のプロセス容量部を使用する、すなわち、３つ以上のプロセス段を使用するとき、原理は同じである。隣接したより高いプロセス容量部における圧力と温度は、隣接したより低いプロセス容量部よりも低い。言い換えれば、圧力と温度は、第１のプロセス容量部からオプションの中間プロセス容量部を介して第２の容量部へと減少する。それによって、平衡が形成される。
【００２２】
第１の態様のさらなる実施形態によれば、プロセス容量部は、ガスケットを介して互いと流体的に分離されている。
【００２３】
ガスケット、たとえば、ゴムガスケットを使用することによって、プレートパッケージを適切に封止しながらも、プレートパッケージの個々の熱交換用プレートを容易に分離すること、すなわち、１つまたは複数の熱交換用プレートを取り外して洗浄および／または保守することを可能にすることができる。さらには、ガスケットを使用することにより、プレートを収容するためのタンクの必要性がなくなる。
【００２４】
第１の態様のさらなる実施形態によれば、蒸発区域は、蒸発区域の上部に位置するフィード入口を備える。
【００２５】
上記の構成は、フィードが上方から各界面の蒸発用区域へと供給される、いわゆる流下膜技法を使用することを暗示している。
【００２６】
第１の態様のさらなる実施形態によれば、蒸発区域は、蒸発区域の底部に位置するフィード入口を備える。
【００２７】
上記の構成は、フィードが下方から各界面の蒸発用区域へと供給される、いわゆる上昇膜技法を使用することを暗示している。したがって、典型的には、フィードのための入口は、蒸発区域の底部の小さい穴である。フィードの一部は、蒸発し、凝縮区域まで上昇し、ここで、凝縮される。
【００２８】
第１の態様のさらなる実施形態によれば、プロセス容量部はそれぞれ、プレートパッケージが通常の使用位置に配設されている場合に、蒸発区域の底部に位置するフィード入口、および分離区域の下方に位置する未蒸発のフィード出口を備える。
【００２９】
フィード入口は、フィード、たとえば、海水を蒸発区域内に導入するのに使用される。このようにして、フィードは、プロセス空間のそれぞれの蒸発区域に効率的に導入され得る。未蒸発のフィード出口は、ブラインまたは他の濃縮物を構成する未蒸発のフィードをプロセス空間のそれぞれの分離区域から除去するのに使用される。
【００３０】
第１の態様のさらなる実施形態によれば、フィード入口は、第１のプロセス容量部以外の複数のプロセス容量部のうちの少なくとも１つのプロセス容量部のための各熱交換用プレートの中心軸に隣接して位置している。
【００３１】
中心軸は、プレートパッケージが通常の使用位置に配設されている場合に、各熱交換用プレートの２つの側縁部間の実質的に中心に、および実質的に垂直に延びる。このようにして、第１のプロセス容量部以外の各プロセス容量部のためのフィード用の単一の中心入口導管が、第１のプロセス容量部において使用される対向プレート縁部における２つの別個の導管の代わりに使用され得る。第１のプロセス容量部においては、加熱用区域の入口および出口は、通常は、中心に位置しており、中心に位置する入口導管を実現不可能にする。そのため、第１のプロセス容量部以外のプロセス容量部ごとに１つの導管が節約される。さらには、プレートの縁部にフィード入口を有しないと、蒸発のためのより多くの空間が可能になる。
【００３２】
第１の態様のさらなる実施形態によれば、未蒸発のフィード出口は、第１のプロセス容量部以外の複数のプロセス容量部のうちの少なくとも１つのプロセス容量部のための各熱交換用プレートの中心軸に隣接して位置している。
【００３３】
中心軸は、プレートパッケージが通常の使用位置に配設されている場合に、各熱交換用プレートの２つの側縁部間の実質的に中心に、および実質的に垂直に延びる。中心に位置する未蒸発のフィード出口は、船上での横揺れにより、ブラインの除去に有益であり得る。さらには、プレートの縁部に未蒸発のフィード出口を有しないと、蒸発したフィードの通路のための、プレート上のより多くの空間が可能になる。
【００３４】
第１の態様のさらなる実施形態によれば、少なくとも１つの熱交換用プレートは、少なくとも１つのプロセス容量部の分離区域における１つまたは複数の開口を画定する。
【００３５】
このようにして、フィードは、プレートの両側で流れることができ、したがって、フィードの蒸発した部分とフィードの未蒸発の部分とを分離させるための活性表面積が増大する。
【００３６】
第１の態様のさらなる実施形態によれば、蒸発区域および凝縮区域は、少なくとも１つのプロセス容量部のための同じプレート間空隙内に配置され、および／または、蒸発区域および凝縮区域は、少なくとも１つのプロセス容量部のための対向プレート間空隙内に配置されている。
【００３７】
プレート間空隙は、２つの隣接した熱交換用プレートによって包囲された空間として画定される。蒸発区域および凝縮区域の位置は、変更してもよい。
【００３８】
第１の態様のさらなる実施形態によれば、使用中、第２のプロセス容量部の凝縮区域は、第１のプロセス容量部の蒸発区域の上方に配設され、各プロセス容量部内で蒸発区域は、分離区域の下方に配設され、分離区域は、凝縮区域の下方に配設されている。
【００３９】
海水は、フィード入口を介して蒸発区域に供給される。フィード入口への海水は冷却用水から取り込まれて、フィードをあらかじめ加熱することができる。このようにして、フィードの加熱に使用されるエネルギーはより少なくなる。分離区域の濃縮物出口連結部は、フィードの未蒸発の部分を受け入れる。淡水出口は、凝縮段から、凝縮された淡水を収集し、それをプラントから外に導出する。
【００４０】
第１の態様のさらなる実施形態によれば、熱交換用プレートの数は、４〜１０００の範囲の、好ましくはたとえば１０〜１００の範囲の熱交換器プレートである。
【００４１】
プレートの数は、熱交換器の所望の出力に応じて、変動してもよい。
【００４２】
第１の態様のさらなる実施形態によれば、熱交換器は、プレートパッケージの２つの対向する側をカバーする１対の端プレートをさらに備える。
【００４３】
端プレートは、ボルトとともに使用されて、プレートパッケージの内部圧力を保持し、正確な組付け長さが達成および維持されることを確実にする。端プレートはまた、さらなる安定性を達成することにも寄与する。端プレートを、薄くされた熱交換用プレートよりも厚く、より剛性にして、熱伝達を高めるようにすることができる。
【００４４】
プレートパッケージは、安定性の向上のための対向端プレートを含むことができる。
【００４５】
上記の目的は、第２の態様においては、海水などのフィードを処理するための熱交換器を製造する方法によって達成され、この方法は、
複数の熱交換用プレートを用意するステップであって、各熱交換用プレートが、第１の熱的界面、第２の熱的界面、および少なくとも１つのさらなる熱的界面を画定する、ステップと、
連続した順序で複数の熱交換用プレートを配置することによってプレートパッケージを形成するステップであって、プレートパッケージが、加熱用媒体を受け入れるための加熱用容量部、冷却用媒体を受け入れるための冷却用容量部、および複数のプロセス容量部を画定し、容量部のそれぞれが、プレートパッケージにおいて互いと流体的に分離され、プロセス容量部のそれぞれが、
フィードの少なくとも一部の蒸発を可能にするように構成されている蒸発区域、
フィードの蒸発した部分からフィードの未蒸発の部分を分離させるように構成されている分離区域、および
フィードの蒸発した部分を凝縮させるように構成されている凝縮区域
を含む、ステップと
を含み、
第１の熱的界面は、加熱用容量部と複数のプロセス容量部のうちの第１のプロセス容量部の蒸発区域との間に画定され、第２の熱的界面は、冷却用容量部と複数のプロセス容量部のうちの第２のプロセス容量部の凝縮区域との間に画定され、少なくとも１つのさらなる熱的界面は、２つの隣接したプロセス容量部の蒸発区域と凝縮区域との間に画定される。
【００４６】
第２の態様による上記の方法は、好ましくは、第１の態様によるプレート熱交換器の上記の実施形態のうちのいずれかとともに用いることができる。
【００４７】
上記の目的は、第３の態様においては、海水などのフィードを処理するためのプレート熱交換器のためのプレートによって達成され、このプレート熱交換器は、連続した順序で配置された複数の熱交換用プレートを備えるプレートパッケージを含み、プレートパッケージは、加熱用媒体を受け入れるための加熱用容量部、冷却用媒体を受け入れるための冷却用容量部、および複数のプロセス容量部を画定し、容量部のそれぞれが、プレートパッケージにおいて互いと流体的に分離され、プロセス容量部のそれぞれが、
フィードの少なくとも一部の蒸発を可能にするように構成されている蒸発区域、
フィードの蒸発した部分からフィードの未蒸発の部分を分離させるように構成されている分離区域、および
フィードの蒸発した部分を凝縮させるように構成されている凝縮区域
を含み、
各熱交換用プレートは、加熱用容量部と複数のプロセス容量部のうちの第１のプロセス容量部の蒸発区域との間の第１の熱的界面、冷却用容量部と複数のプロセス容量部のうちの第２のプロセス容量部の凝縮区域との間の第２の熱的界面、および２つの隣接したプロセス容量部の蒸発区域と凝縮区域との間の少なくとも１つのさらなる熱的界面を画定する。
【００４８】
このようにして、海水などのフィードを処理するための熱交換器のための熱交換用プレートが実現され、この熱交換用プレートは、加熱用容量部と第１のプロセス容量部の蒸発区域とを分離させるための第１の熱的界面、冷却用容量部と第２のプロセス容量部の凝縮区域とを分離させるための第２の熱的界面、および２つの隣接したプロセス容量部の蒸発区域と凝縮区域との間の少なくとも１つのさらなる熱的界面を画定する。
【００４９】
第３の態様による上記の熱交換用プレートは、好ましくは、第１の態様によるプレート熱交換器の上記の実施形態のうちのいずれかとともに、および／または第１の態様による方法の上記の実施形態のうちのいずれかとともに用いることができる。
【００５０】
プレートパッケージは、単一のプレートタイプで構成され得る。次いで、プレートパッケージにおけるプレートは１つおきに、１８０度回転して、異なるタイプの２つのプレート間空隙を確立する。あるいは、プレートパッケージは、プレートパッケージに交互の順序で組み付けられる、２つのプレートタイプなど、複数のプレートタイプで構成されてもよい。
【図面の簡単な説明】
【００５１】
【図１】上昇膜技法を用いる本発明によるプレートパッケージを示す図である。
【図２】上記のプレートパッケージの断面図である。
【図３Ａ】上記のプレートパッケージのプレートのうちの１つの正面図である。
【図３Ｂ】プレートパッケージの上述のプレートの後面図である。
【図４Ａ】加熱用容量部の作動原理を示す図である。
【図４Ｂ】第１のプロセス容量部の作動原理を示す図である。
【図４Ｃ】冷却用容量部の作動原理を示す図である。
【図４Ｄ】第２のプロセス容量部の作動原理を示す図である。
【図５Ａ】２つの隣接したプロセス容量部間の熱的交点に中心出口を有しない代替のプレートの正面図である。
【図５Ｂ】上述した代替のプレートの後面図である。
【図６Ａ】４つのプロセス容量部を含むプレートパッケージのプレートの正面図である。
【図６Ｂ】４つのプロセス容量部を含むプレートパッケージの上述したプレートの後面図である。
【図７Ａ】流下膜原理により動作している、熱交換器の形態での脱塩装置の熱交換用プレートのＡ側の正面図である。
【図７Ｂ】図７Ａの熱交換用プレートの対向Ｂ側の正面図である。
【発明を実施するための形態】
【００５２】
図１は、本発明によるプレートパッケージを示している。プレートパッケージは、複数の熱交換用プレート４３を含む。プレート４３は、たとえば、ステンレス鋼、アルミニウム、またはチタンで作製され得る。ポートは、矢印によって概略的に示されている。ポート４４は、冷却用媒体のための入口ポートである。ポート４５は、冷却用媒体のための出口ポートである。ポート４６は、加熱用媒体のための入口ポートである。ポート４７は、加熱用媒体のための出口ポートである。ポート４８は、フィードのための入口ポートである。フィードは、プレートパッケージが脱塩プラントにおいて使用される場合、主には海水であるが、果実濃縮物を生産するためのプラントの場合、生の果実絞り汁など、他のフィードも可能である。フィードはまた、冷却用媒体のための出口ポート４５から取リ込まれてもよい。ポート４９は、脱塩プラントの場合の淡水など、処理されたフィードのための出口ポートである。
【００５３】
図２は、プレートパッケージ４２の断面図を示している。プラントが船上に位置している場合のジャケット水などの高温流体は、加熱用容量部５０内を循環する。プレート４３は、加熱用容量部５０と、第１のプロセス容量部５３の隣接した蒸発区域５２との間の熱的界面５１を形成する。フィード５４は、第１のプロセス容量部５３の蒸発区域５２の下部に導入される。フィードは、熱的界面５１を通して加熱用容量部５０内の加熱用媒体によって加熱され、それにより、フィード５４の一部は、蒸発して、蒸気が形成され、この蒸気は、典型的にはたとえば脱塩プラントにおける水溶性フィードの場合の水蒸気である。水蒸気は、矢印によって示されているように上向きに移動しており、第１のプロセス容量部５３の分離区域５５に入る。分離区域５５においては、未蒸発のフィードはすべて、除去される。次いで、水蒸気は、第１のプロセス容量部５３の凝縮区域５６に入る。凝縮区域５６においては、水蒸気は、凝縮されて、淡水を構成する凝縮物５７になる。淡水は、淡水出口ポートを通して外に導出される。通路５８ａ／ｂは、分離区域５５内のプレート４３を通って形成される。
【００５４】
第１のプロセス容量部５３の凝縮区域５６では、プレート４３は、第２のプロセス容量部５３’の隣接した蒸発区域５２’との熱的界面５９を形成する。フィード５４’は、第２のプロセス容量部５３’の蒸発区域５２’の下部に導入される。第２のプロセス容量部５３’においては、圧力と温度は、第１のプロセス容量部５３よりも低い。したがって、第２のプロセス容量部５３’内のフィード５４’は、第１のプロセス用容量部５３内のフィード５４よりも低い温度で蒸発（および凝縮）することになる。フィード５４’は、熱的界面５９を通して第１のプロセス容量部５３の凝縮区域５６によって加熱され、それにより、フィード５４’は、蒸発して水蒸気になり、第１のプロセス容量部５３の凝縮区域５６内の水蒸気は、凝縮して水になる。
【００５５】
第２のプロセス容量部５３’内の水蒸気は、矢印によって示されているように上向きに移動しており、第２のプロセス容量部５３’の分離区域５５’に入る。分離区域５５’においては、未蒸発のフィードはすべて、除去される。次いで、水蒸気は、第２のプロセス容量部５３’の凝縮区域５６’に入る。凝縮区域５６’においては、水蒸気は、凝縮されて、淡水を構成する凝縮物５７’になる。淡水は、淡水出口ポートを通して外に導出される。通路５８ａ／ｂは、分離区域５５内のプレート４３に形成される。
【００５６】
冷却用容量部６０が、プレートパッケージの上部に設けられる。冷却用容量部６０内を冷却用媒体が循環する。冷却用媒体は、プレート４３内の熱的界面６１を介して第２のプロセス容量部５３’の凝縮区域５６’を冷却する。
【００５７】
未蒸発のフィードは、高い塩分を有するブラインを構成し、プレートパッケージから外に導出される。他の適用例においては、未蒸発のフィードは、たとえば絞り汁濃縮物を生産するためのプラントの場合の製品とすることができ、フィードは、生の果実絞り汁であり、未蒸発のフィードは、絞り汁濃縮物を構成する。
【００５８】
黒の太線６２は、プレート間空隙を包囲し、容量部を分離するガスケットを形成する。ポートおよび通路は、プレート間空隙を相互連結して、それにより、加熱用容量部、冷却用容量部、第１のプロセス容量部、および第２のプロセス容量部のプレート間空隙はそれぞれ、それぞれの相互連結された空間を形成するようになる。
【００５９】
図３Ａは、プレートパッケージのプレート４３のうちの１つの正面図を示している。冷却用媒体のためのポート４４、４５、および加熱用媒体のためのポート４６、４７は、プレートのこの側が封止され、それにより、第１のプレート間空隙が画定される。ポート４８からのフィードは、第１のプロセス容量部内の入口穴４８ａを介して蒸発区域５２に入る。蒸発した水蒸気は、蒸発区域５２の上方に位置する分離区域５５に流れ、プレート４３を通って通路５８ａ／ｂを介して隣りのプレート間空隙へと流れる。それによって、通路５８ａは、蒸発したフィードがプレート４３の両方の側に到達することを確実にし、一方、通路５８ｂは、凝縮が行われる間空隙へと蒸気を導くことになる。未蒸発のフィードは、未蒸発のフィード出口ポート６３を介して流出する。未蒸発のフィードは、脱塩プラントにおけるブラインを構成するが、あるいは、絞り汁濃縮物などの製品濃縮物を構成してもよい。第１のプロセス容量部の凝縮区域は、プレートの対向側に位置し、したがって、この図には示されていない。
【００６０】
蒸発はまた、第１のプロセス容量部の対向凝縮区域からの熱を用いて第２のプロセス容量部の蒸発区域５２’において行われている（図４Ｂとの関連で説明する）。フィードは、ポート４８’および穴４８ａ’を介して第２のプロセス容量部の蒸発区域５２’に導入される。蒸発した水蒸気は、第２のプロセス容量部の分離区域５５’を通って第２のプロセス容量部の凝縮区域５６’に流れ、ここで、水蒸気は、凝縮して水になる。淡水は、ポート４９’を介して凝縮区域５６’から出る。
【００６１】
フィードを第２のプロセス容量部に導入するためのポート４８’は、プレート４３上の中心に位置している。このようにして、第２のプロセス容量部内のフィード入口連結部の数は、第１のプロセス容量部と比較して２から１へと減少する。この結果、配管および切断の費用が減少し、プレート領域をより良好に利用することが可能になる。さらには、プレートの縁部にフィード入口を有しないと、蒸発のためのより多くの空間が可能になる。
【００６２】
さらには、第２のプロセス容量部のための未蒸発のフィード出口ポート６３’もまた、プレート４３上の中心に位置している。このようにして、第２のプロセス容量部内の未蒸発のフィード出口連結部の数は、同様に、第１のプロセス容量部と比較して２から１へと減少し、プレートの縁部に未蒸発のフィード出口を有しないと、蒸発のためのより多くの空間、および蒸発したフィードの通路のためのより多くの空間がプレート上に可能になる。中心に位置する未蒸発のフィード出口は、船上での横揺れにより、有益である場合がある。
【００６３】
図３Ｂは、プレートパッケージの上述のプレート４３’の後面図を示している。この場合、加熱用媒体は、加熱用容量部５０内を循環して、第１のプロセス容量部の対向蒸発区域を加熱し、冷却用媒体は、冷却用容量部６０内を循環して、第２のプロセス容量部の対向凝縮区域を冷却している。
【００６４】
凝縮区域５６は、プレートの対向側に位置する第２のプロセス容量部の蒸発区域を加熱している。第１のプロセス容量部の蒸発区域からの水蒸気は、第１のプロセス容量部の分離区域５５内の通路５８ｂを通して受け入れられる。淡水は、ポート４９を介して凝縮区域５６から出る。ガスケット６２は、黒の太線によって表されている。
【００６５】
図４Ａは、本発明の別の実施形態によるプレートパッケージ４２を示している。この図は、矢印により、プレートパッケージへの加熱用媒体の導入、および加熱用容量部５０におけるプレート間空隙内の加熱用媒体の循環を示している。
【００６６】
図４Ｂは、図４Ａのプレートパッケージ４２を示している。この図は、矢印により、第１のプロセス容量部内のポート４８におけるプレートパッケージへのフィードの導入を示している。フィードは、第１のプロセス容量部の蒸発区域５２に入り、対向加熱用容量部からの熱により蒸発する。蒸発したフィードは、分離区域５５へと進み、ここで、未蒸発の部分が除去される。残りの水蒸気または蒸気は、凝縮区域において凝縮し、結果的に生じた水または液体は、ポート４９を通して外に導出される。未蒸発のフィード（ブライン／濃縮物）は、未蒸発のフィード出口ポート６３を通して外に導出される。
【００６７】
図４Ｃは、図４Ａのプレートパッケージ４２を示している。この図は、矢印により、プレートパッケージへの冷却用媒体の導入、および冷却用容量部６０におけるプレート間空隙内の冷却用媒体の循環を示している。
【００６８】
図４Ｄは、図４Ａのプレートパッケージ４２を示している。この図は、矢印により、第２のプロセス容量部内のポート４８’におけるプレートパッケージへのフィードの導入を示している。フィードは、第２のプロセス容量部の蒸発区域５２’に入り、第１の容量部の対向凝縮区域からの熱により蒸発する。第２のプロセス容量部の蒸発区域における圧力と温度は、第１の容量部の凝縮区域よりも低く、それにより、凝縮と蒸発を行うことができる。蒸発したフィードは、分離区域５５’へと進み、ここで、フィードの未蒸発の部分が除去される。残りの水蒸気または蒸気は、凝縮区域５６’において凝縮し、結果的に生じた水また液体は、ポート４９を通して外に導出される。フィードの未蒸発の部分、たとえば、ブラインまたは濃縮物は、未蒸発のフィード出口ポート６３’を通して外に導出される。
【００６９】
図５Ａは、代替のプレートパッケージのための代替のプレートの正面図を示している。このプレートの正面と先のプレートの正面との唯一の違いは、第１のプロセス容量部においては、通路５８ａ／ｂがプレート上の中心に位置していることであるが、淡水は、プレートの縁部に位置する２つのポート４９において収集される。このようにして、プレートパッケージの２つの隣接したプロセス容量部間の熱的交点にポートを位置付けることが回避される。そこにポートを位置付けると、端部プレートに穴が必要になり、この穴は、端部プレートをより脆弱にさせることになる。
【００７０】
図５Ｂは、代替のプレートパッケージの上述した代替のプレートの後面図を示している。このプレートの後面側の機能原理は、先のプレートの後面側と同一である。
【００７１】
図６Ａおよび図６Ｂはそれぞれ、図に示されているように４つのプロセス容量部５３、５３’、５３’’、５３’’’（またはさらなるプロセス容量部）を含むプレートパッケージのプレート４３の正面図および後面図を示している。機能原理は、２つではなく、４つのプロセス容量部５３、５３’、５３’’、５３’’’（またはさらなるプロセス容量部）が熱的系統で連結されていることを除いて、先のプレートと同じである。
【００７２】
したがって、加熱用容量部は、第１のプロセス容量部の蒸発区域にプレート界面を介して熱的に連結されている。第１のプロセス容量部の凝縮区域は、第２のプロセス容量部の対向蒸発区域に熱的に連結されている。第２のプロセス容量部の凝縮区域は、第３のプロセス容量部の対向蒸発区域に熱的に連結されている。第３のプロセス容量部の凝縮区域は、第４のプロセス容量部の対向蒸発区域に熱的に連結されている。最後に、第４のプロセス容量部の凝縮区域は、冷却用容量部に熱的に連結されている。
【００７３】
熱的連結部は、プレートにわたって熱的界面を介して確立される。圧力と温度は、第１のプロセス容量部から第４のプロセス容量部へと減少する。
【００７４】
図７Ａは、流下膜原理に従って動作している代替の実施形態の脱塩装置の熱交換用プレートのＡ側の正面図を示す一方、図７Ｂは、熱交換用プレートの対向Ｂ側の正面図を示している。
【００７５】
プレートは、プレートパッケージにおいて交互の構成で取り付けられ、単にプレートを１８０度回転することによって、２つの異なるプレート表面ＡまたはＢのうちの一方が形成され得る。異なるガスケットがプレートの対向側に使用され、それにより、チャネルと区域との所望の組合せが達成されることになる。
【００７６】
プレートの対向する短い端部のそれぞれにおいては、３つの大きいポート１〜６が存在し、ポート１〜６間には、プレート内の８つの熱的界面７〜１４が、水平の連続構成で設けられている。ポート１は、加熱用媒体、好ましくは、ジャケット水などの水のための入口であり、または代替として、水蒸気／蒸気などの気体が使用されてもよい。ポート２は、加熱用媒体のための出口ポートである。ポート３および４は、海水などのフィードのための入口ポートであり、ポート５および６はそれぞれ、冷却用媒体、好ましくは海水などの水のための入口ポートおよび出口ポートである。
【００７７】
熱的界面７では、加熱用媒体は、熱交換用プレートの一方の側の加熱用容量部に流入しており、熱交換用プレートの対向側の蒸発区域１７においては、フィード入口から穴１９を通って入るフィードの蒸発が生じる。蒸発したフィードは、水蒸気を形成し、この水蒸気は、凝縮区域１５ａに流入し、ここで、水蒸気は、凝縮用区域１５ａ内の温度がより低いので凝縮される。水蒸気は、分離区域２０を通過し、ここで、液滴および未蒸発のフィードが収集され、ポート２１に導かれ、ポート２１は、余分なブラインを除去する。凝縮区域１５ａは、ガスケットによって囲まれている。ガスケットは、太線によって示されている。穴２３を設けて、凝縮できない気体を排出してもよい。凝縮された水蒸気は、凝縮物出口２４ａを介して外に流出する。蒸発区域１７、分離区域２０、および凝縮区域１５ａは、第１のプロセス用容量部を形成する。
【００７８】
水蒸気が凝縮区域１５ａにおいて凝縮すると、熱が蒸発区域１４ａ内のフィードに伝達され、それにより、フィードは、蒸発し、凝縮区域１５ｂ内に流入する。蒸発区域１４ａおよび凝縮区域１５ｂは、それらの間の分離区域（符号付けされていない）とともに、さらなるプロセス容量部を形成する。同じプロセスが、最後の凝縮用区域１８まで、残りの界面において繰り返される。ポート４と６との間の凝縮区域１８では、凝縮できない気体を排出するためのポート２６を有する排出チャンバ２５が存在する。フィード入口３および４は、穴３０を介して相互連結されている分散チャネル２７、２８ａ〜２８ｆ、２９を介して相互連結されている。
【００７９】
この熱交換器は、蒸発区域、分離区域、および凝縮区域をそれぞれが有する５つのプロセス用容量部を有するが、２つ以上の任意の数が実現可能とすることができる。より大きい数のプロセス用容量部が、より良好な熱的効率を生み出すことになるが、熱交換器の費用および複雑さも同様に高まることになり、したがって、選択された、たとえば最も経済的なプロセス数は、個別に異なることになり、加熱用容量部および冷却用容量部に加えて２つのプロセス用容量部のみを有する熱交換器とすることが非常によくあり得る。そのような場合においては、１つの熱的界面は、第１のプロセス用容量部の凝縮区域と第２のプロセス用容量部の蒸発区域との間の熱交換のために設けられる。
【００８０】
本発明によるプレートパッケージは、主に、脱塩プランにおいて海水を脱塩するのに使用される一方、いくつかの他の使用領域が存在することが企図される。これらの使用領域には、限定するものではないが、廃水の浄化、および果実絞り汁などの製造など、凝縮物ではなく、濃縮物を使用する適用例が含まれる。そのような適用例においては、生の果実絞り汁は、フィードとして提供され、生の絞り汁の含水量の一部は、蒸発が可能になる。残りの濃縮物は、未蒸発のフィード出口において収集される。同様のプロセスは、エタノールなどの精製など、非水溶性フィードに使用されてもよい。
【符号の説明】
【００８１】
１〜６、２１、２６、４４、４５、４６、４７、４８、４８’、４９、４９’  ポート
７〜１４、５１、５９、６１  熱的界面
１４ａ、１７、５２、５２’  蒸発区域
１５ａ、１５ｂ、１８、５６、５６’  凝縮区域
１９、２３、３０、４８ａ’  穴
２０、５５、５５’  分離区域
２４ａ  凝縮物出口
２５  チャンバ
２７、２８ａ〜２８ｆ、２９  分散チャネル
４２  プレートパッケージ
４３、４３’  プレート
５０  加熱用容量部
５３、５３’、５３’’、５３’’’  プロセス容量部
５４、５４’  フィード
５７、５７’  凝縮物
５８ａ／ｂ  通路
６０  冷却用容量部
６２  ガスケット
６３、６３’  フィード出口ポート
【図１−２】
2021525857.tif 000003
【図３Ａ】
2021525857.tif 000004
【図３Ｂ】
2021525857.tif 000005
【図４Ａ】
2021525857.tif 000006
【図４Ｂ】
2021525857.tif 000007
【図４Ｃ】
2021525857.tif 000008
【図４Ｄ】
2021525857.tif 000009
【図５Ａ】
2021525857.tif 000010
【図５Ｂ】
2021525857.tif 000011
【図６Ａ】
2021525857.tif 000012
【図６Ｂ】
2021525857.tif 000013
【図７Ａ】
2021525857.tif 000014
【図７Ｂ】
2021525857.tif 000015
【国際調査報告】
2021525857.tif 000016
2021525857.tif 000017